(57)【特許請求の範囲】
【請求項１】
所定の作用を起こすことにより可視化される第１の不可視マークと第２の不可視マークが、書籍の一部に形成されており、
前記第１の不可視マークは、取次店において印刷により形成され、書店コードおよび取引形態が記録された不可視バーコードであり、
前記第２の不可視マークは、書店において押印により形成されたものであることを特徴とする書籍。
【請求項２】
前記第２の不可視マークは、書店コードもしくは書店が特定できるシンボルが記録された不可視バーコードであることを特徴とする請求項１に記載の書籍。
【発明の詳細な説明】
【技術分野】
【０００１】
本発明は、書籍の流通において、不正に取得された書籍の誤った買い取りや、誤った返本を防止するための技術に関する。
【背景技術】
【０００２】
通常、書籍は、出版社から取次店を介して書店に流通し、販売される。書籍の販売形態には、委託販売と責任販売がある。委託販売の場合は、売れ残った書籍を取次店に返本できるのに対して、責任販売の場合は、売れ残った書籍を取次店に返本できない点で大きく異なっている。取次店には、膨大な数の書籍が書店から返本されるため、返本できるものであるか否か等の検品を行なう必要があり、この検品を行なう技術も提案されている（特許文献１参照）。
【先行技術文献】
【特許文献】
【０００３】
【特許文献１】特開２００３−４８３７５号公報
【発明の概要】
【発明が解決しようとする課題】
【０００４】
一方、一旦書店において販売された書籍を買い取り、新古本として販売する新古書店が数年前から拡大してきている。新古書店には、多くの書籍が持ち込まれるが、持ち込まれた書籍が万引き等により不正に取得された書籍であるかどうか判断できないため、買い取らざるを得ないという問題がある。また、書店から書籍を返本する際、誤って責任販売の書籍が委託販売の書籍の中に紛れて返本されてしまうという問題もある。
【０００５】
上記のような点に鑑み、本発明は、新古書店のような買取店において、不正に取得された書籍を判別できるとともに、取次店への誤った返本を防止することが可能な不可視マークを有する書籍を提供することを課題とする。
【課題を解決するための手段】
【０００６】
上記課題を解決するため、本発明では、所定の作用を起こすことにより可視化される第１の不可視マークと第２の不可視マークが、書籍の一部に形成されており、前記第１の不可視マークは、取次店において印刷により形成され、書店コードおよび取引形態が記録された不可視バーコードであり、前記第２の不可視マークは、書店において押印により形成されたものであることを特徴とする書籍を提供する。
【０００７】
本発明の書籍によれば、書籍の一部に形成されている２つの不可視マークが、所定の作用を起こすことにより可視化されるので、可視化されたマークの数を確認することにより、正当に購入されたものであるかどうかを確認することができ、不正に取得された書籍を誤って買い取ることを防止することができる。
【０００９】
本発明の書籍によれば、書籍の一部に形成されている２つの不可視マークの１つが不可視バーコードであり、書店コードおよび取引形態が記録されているので、取次店において取引形態を読み取ることにより、正当に返本されたものであるかどうかを確認することができ、書店からの誤った返本を防止することができる。
【００１０】
また、本発明では、前記書籍において、前記第２の不可視マークは、書店コードもしくは書店が特定できるシンボルが記録された不可視バーコードであることを特徴とする。
【００１１】
本発明の書籍によれば、書籍の一部に形成されている第２の不可視マークが不可視バーコードであり、書店コードもしくは書店が特定できるシンボルが記録されているので、新古書店のような買取店において書店コードもしくは書店が特定できるシンボルを読み取ることにより、どの書店で購入されたものであるかを確認することができる。
【発明の効果】
【００１６】
本発明によれば、新古書店のような買取店において、不正に取得された書籍を判別できるとともに、取次店への誤った返本を防止することが可能となるという効果を奏する。
【図面の簡単な説明】
【００１７】
【図１】書籍の流通経路を示す図である。
【図２】本発明第１の実施形態に係る書籍の外観斜視図である。
【図３】本発明第２の実施形態に係る書籍属性判別システムの構成図である。
【図４】書籍流通データベースの登録情報を示す図である。
【図５】本発明第２の実施形態に係る書籍の外観斜視図である。
【図６】本発明第３、第４の実施形態に係る書籍の外観斜視図である。
【図７】本発明第４の実施形態に係る書籍属性判別システムの構成図である。
【発明を実施するための形態】
【００１８】
以下、本発明の好適な実施形態について、図面を参照して詳細に説明する。
（１．書籍の流通）
まず、新古書店を含めた書籍の流通について説明しておく。図１は、書籍の流通経路を示す図である。出版社により発行された書籍は、取次店に送られ、さらに取次店から各書店に送られる。各書店では、書籍を読者に販売する。読者は、場合によっては、読み終えた書籍を新古書店に持ち込み、買取してもらう。一方、書店で売れ残った書籍のうち、委託販売であるものについては、取次店への返本がなされる。図１に示した書籍の流通経路は、以下の複数の実施形態において共通である。以下、書籍の流通経路における誤った買い取り、返本に関し、４つの実施形態について説明する。
【００１９】
（２．第１の実施形態）
第１の実施形態について説明する。まず、取次店において、特殊な不可視インクにより、対象とする書籍にバーコードの印刷を行なう。図２（ａ）において、書籍の表紙（表表紙、裏表紙いずれでも可）に示した点線の矩形は不可視インクにより印刷されたバーコードＣ１を示している。この不可視インクとしては、何らかの手段を講じることにより発光するものであれば、どのようなものであっても良いが、本実施形態では、紫外線を当てると発光する紫外線発光インクを用いている。バーコードＣ１は、通常の状態では見えないため、書籍の見栄えを損なうことはない。バーコードＣ１は、書籍の一部であれば、表紙に限定されず、背、表紙の裏面（表表紙、裏表紙を表１、表４と呼ぶ場合、それぞれ表２、表３と呼ばれる部分）、背、見返し等に形成しても良い。ただし、新古書店において、紫外線を照射する場所を特定するため、新古書店との間で場所を決めておく必要がある。バーコードＣ１には、書店を特定するための書店コードと、取引形態（委託販売、責任販売のどちらか）が記録されている。
【００２０】
バーコードＣ１が印刷された書籍は、書店に送られる。書店では、書籍を販売する際、不可視インクを用いてスタンプで書籍の表紙にバーコードＣ２を付与する。図２（ｂ）に示すように、不可視インクにより形成されたバーコードＣ２が付与されることになる。バーコードＣ１とバーコードＣ２は、一目で確認し易いように、互いに近接して形成することが望ましい。バーコードＣ２を形成する不可視インクも、何らかの手段を講じることにより発光するものであれば、どのようなものであっても良いが、バーコードＣ１と同じインクを用いることが望ましい。１つの手段を講じることにより、２つのバーコードが可視化されるためである。したがって、本実施形態では、バーコードＣ２にも、バーコードＣ１と同じ紫外線発光インクを用いている。ただし、バーコードＣ１を紫外線発光インクで形成し、バーコードＣ２を赤外線発光インクで形成、あるいはバーコードＣ１を赤外線発光インクで形成し、バーコードＣ２を紫外線発光インクで形成するというように、バーコードＣ１とバーコードＣ２が異なる不可視インクで形成されていても良い。この場合は、１つの手段を講じることにより、１つのバーコードしか可視化されないが、後述する新古書店、取次店において可視化のために行なう手段を特定しておき、どちらか１つのバーコード（新古書店ではバーコードＣ２、取次店ではバーコードＣ１）が可視化できれば、不正がないことを確認できるためである。バーコードＣ２には、書店を特定するための書店コードが記録されている。バーコードＣ２は、読者が購入する際、代金と引き換えに店員が押印する。このため、万引き等により不正に取得された書籍には、バーコードＣ２は付与されない。なお、バーコードＣ２は、公知のバーコードプリンターにより印刷するようにしても良い。
【００２１】
読者は、書店にて購入後、読み終えた書籍を新古書店に持ち込むことがある。新古書店では、持ち込まれた書籍を買い取る際、店員が紫外線発光装置（例えばブラックライト）により紫外線を表紙に照射する。この紫外線発光装置による発光により、紫外線発光インクで形成されたバーコードＣ１、バーコードＣ２が可視光として発光する。店員は、バーコードＣ２が存在することを確認し、正当に取得された書籍であると判断して、買取業務を進める。バーコードＣ１は、取次店から出荷される際に必ず付与されるため、現実には、店員はバーコードＣ２が存在することまで認識する必要はなく、バーコードが２つ存在することを認識すれば足りる。
【００２２】
ブラックライトを表紙に照射した際、バーコードＣ２が確認できなかった場合、すなわち、バーコードが１つしか存在しなかった場合には、不正な手段により取得された書籍であると判断し、店員は買取を許否する。このように、正当に取得された書籍のみを買い取るようにすることにより、不正な手段により取得された書籍が、誤って新古書店に買い取られ、市場に流通することを防ぐことができる。
【００２３】
次に、書店から取次店への誤った返本の防止について説明する。誤った返本の防止については、コンピュータに、ベルトコンベア、仕分け機構、バーコードリーダー等が接続されたシステムを用いる。このシステムのコンピュータには、後述する処理を実行するための専用のプログラムが組み込まれている。書店から取次店へ返本される場合、書店単位で大量の書籍が持ち込まれるため、取次店では、上記システムに書店コードを入力した後、持ち込まれた書籍を表紙を上側に向けて、ベルトコンベアに流す。システムが起動されると、ベルトコンベアを流れる書籍に対して紫外線発光装置により紫外線を照射し、発光したバーコードＣ１をバーコードリーダーで読み取る。このようなバーコードリーダーとしては、マイクロスキャン社の「高速バーコードスキャナ」ＭＳ−９を利用することができる。上記コンピュータは、読み取ったバーコードＣ１から書店コードと取引形態を取得する。そして、コンピュータは、入力された書店コードと取得した書店コードを照合し、両者が一致しない場合、その書籍を誤った返本であると判断する。入力された書店コードと取得した書店コードが一致した場合であっても、バーコードＣ１から取得した取引形態が“委託販売”を示すものであるか“責任販売” を示すものであるかを判断し、“責任販売” を示すものであった場合は、その書籍を誤った返本であると判断する。なお、書店コードに基づく判断と、取引形態に基づく判断はどちらを先に行なうように設定しておいても良い。最終的に、いずれか一方が条件を満たさない場合に、誤った返本であると判断すれば良いためである。また、書店コードを照合せず、簡易的に取引形態のみを判断するようにしても良い。この場合は、コンピュータに対する書店コードの入力は不要となる。
【００２４】
本実施形態において、バーコードＣ２は、新古書店の店員が、その存在を確認するために用いられるものであるので、バーコードの形態ではなく、単なるマークであっても良い。すなわち、何らかの形、模様等が不可視インクで形成されていれば良い。その場合、バーコードＣ２に相当するマークは、店員が目視でその存在を確認することを目的としているため、その形状自体は把握し易く、模倣される可能性がある。そのため、バーコードＣ２に相当するマークの形状は、例えば、半年や一年等、一定期間毎に変化させることが望ましい。ただし、バーコードＣ２に情報を記録し、その情報を利用することも可能である。例えば、その書籍を販売する書店の書店コードを記録したバーコードのスタンプを用意しておき、販売時に押印するようにすれば、表紙に付加されたバーコードＣ２には、販売した書店の書店コードが記録される。新古書店において買取を行なう際、バーコードリーダーを用いてバーコードＣ２を読み取り、記録されていた書店コードを新古書店の端末に表示させるようにすれば、新古書店の店員は、単に正当に取得された書籍であるかどうかの確認だけでなく、どの書店で販売された書籍であるかも確認することができる。
【００２５】
（３．第２の実施形態）
次に、第２の実施形態について説明する。第２の実施形態においては、図３に示すような書籍属性判別システムを用いる。図３において、１０は書籍流通データベース、２０は管理サーバ、３０は取次店端末、４０は書店端末、５０は新古書店端末である。書籍流通データベース１０は、取次店を介して市場に流通する書籍の情報を記録したデータベースであり、管理サーバ２０に接続されたハードディスク等の外部記憶装置により実現される。書籍流通データベース１０は、図４に示すように、書籍の各個体を特定するシリアルコード、書店を特定する書店コード、委託販売か責任販売かを示す取引形態、販売済みである旨を示す販売済情報の項目を管理する。管理サーバ２０は、書籍流通データベース１０を管理し、取次店端末３０、書店端末４０、新古書店端末５０からの要求に応じて書籍流通データベース１０に情報を登録したり、書籍流通データベース１０から情報を抽出するコンピュータであり、汎用のコンピュータに専用のプログラムを組み込むことにより実現される。取次店端末３０、書店端末４０、新古書店端末５０は、いずれもインターネット等のネットワークを介して管理サーバ２０とデータ送受信可能に接続されており、汎用のコンピュータに専用のプログラムを組み込むことにより実現される。取次店端末３０には、不可視インクに対応したバーコードリーダー、紫外線発光装置、ベルトコンベア、書籍の仕分け機構が接続されている。書店端末４０には、不可視インクに対応したバーコードリーダー、紫外線発光装置が接続されている。新古書店端末５０には、不可視インクに対応したバーコードリーダー、紫外線発光装置が接続されている。
【００２６】
第２の実施形態においても、第１の実施形態と同様、取次店において、特殊な不可視インクにより、対象とする書籍にバーコードの印刷を行なう。図５において、書籍の表紙に示した点線の矩形は不可視インクにより印刷されたバーコードＣ３を示している。この不可視インクは、第１の実施形態と同様、何らかの手段を講じることにより発光するものであれば、どのようなものであっても良いが、本実施形態でも、紫外線を当てると発光する紫外線発光インクを用いている。バーコードＣ３も、通常の状態では見えないため、書籍の見栄えを損なうことはない。バーコードＣ３には、書籍の個体ごとに異なるシリアルコードが記録されている。第２の実施形態におけるバーコードＣ３は、各個体固有のシリアルコードを記録したものであり、送付先の書店や、取引形態を把握している必要はないため、第１の実施形態におけるバーコードＣ１と異なり、必ずしも取次店で印刷する必要はなく、それ以前の印刷会社等において印刷しても良い。第２の実施形態においては、第１の実施形態と異なり、バーコードＣ３が１つ印刷されたら、それ以降は、バーコードが書籍に付与されることはない。
【００２７】
取次店では、各個体に付与されたシリアルコードに対応付けて、書店コードと取引形態を書籍流通データベースに登録する。具体的には、取次店端末３０に対して、シリアルコードとともに書店コードと取引形態を入力し、データベース登録指示を行うと、取次店端末３０は入力されたシリアルコード、書店コード、取引形態を管理サーバ２０に送信する。管理サーバ２０では、受信したシリアルコード、書店コード、取引形態を対応付けて書籍流通データベース１０に登録する。なお、書店コードと取引形態は、第１の実施形態に示したものと同じである。書籍流通データベース１０への登録が完了したら、バーコードＣ３が印刷された書籍は、書店に送られる。
【００２８】
書店では、書籍を販売する際、書店端末４０から管理サーバ２０にアクセスし、書籍流通データベース１０に販売済情報を追加する。具体的には、書店端末４０に接続されている不可視インクに対応したバーコードリーダーで、書籍の表紙上の所定の位置からバーコードＣ３に記録されたシリアルコードを読み取り、店員が書店端末４０に対して販売済みの指示を与える。すると、書店端末４０は、読み取ったシリアルコードと販売済情報とともに、データ登録依頼を管理サーバ２０に送信する。管理サーバ２０は、受信したシリアルコードと販売済情報を対応付けて書籍流通データベース１０に登録する。
【００２９】
新古書店では、読者から持ち込まれた書籍を買い取る際、その書籍が正当に販売されたものであるかどうかを確認する。具体的には、新古書店端末５０に接続されている不可視インクに対応したバーコードリーダーで、書籍の表紙上の所定の位置からバーコードＣ３に記録されたシリアルコードを読み取り、店員が新古書店端末５０に対して販売済情報確認の指示を与える。すると、新古書店端末５０は、読み取ったシリアルコードとともに、販売済情報の送信依頼を管理サーバ２０に送信する。管理サーバ２０は、受信したシリアルコードに対応する販売済情報を書籍流通データベース１０から取得し、新古書店端末５０に返信する。
【００３０】
新古書店端末５０では、販売済情報を受信すると、受信した販売済情報を画面に表示する。販売済情報の表示は、店員が認識可能な様々な態様で行なうことができる。例えば、受信した販売済情報が既に販売したことを示すものである場合には、“正規販売済み”等の表示を行い、販売済情報がまだ販売されていないことを示すものである場合には、“未販売”等の表示を行なう。これにより、店員は、持ち込まれた書籍が正当に購入されたものであるかどうかを確認することができる。この結果、正当に取得された書籍のみを買い取ることになり、不正な手段により取得された書籍が、誤って新古書店に買い取られ、市場に流通することを防ぐことができる。
【００３１】
次に、書店から取次店への誤った返本の防止について説明する。書店から取次店へ返本される場合、書店単位で大量の書籍が持ち込まれるため、取次店では、取次店端末３０に書店コードを入力した後、持ち込まれた書籍を表紙を上側に向けて、ベルトコンベアに流す。取次店端末３０からの指令に基づいて、ベルトコンベアを流れる書籍に対して紫外線発光装置により紫外線を照射し、発光したバーコードＣ３をバーコードリーダーで読み取る。取次店端末３０は、読み取ったバーコードＣ３から、シリアルコードを取得する。取次店端末３０は、取得したシリアルコードとともに、対応する情報の送信依頼を管理サーバ２０に送信する。管理サーバ２０は、受信したシリアルコードに対応する書店コード、取引形態、販売済情報を書籍流通データベース１０から取得し、取次店端末３０に返信する。
【００３２】
取次店端末３０は、書籍流通データベース１０から取得した書店コードと、取次店端末３０に直接入力された書店コードとを照合し、両者が一致しない場合、その書籍を誤った返本であると判断する。受信した書店コードと入力された書店コードが一致した場合、取次店端末３０は、書籍流通データベース１０から取得した取引形態が“委託販売”を示すものであるか“責任販売” を示すものであるかを判断し、“責任販売” を示すものであった場合は、その書籍を誤った返本であると判断する。取引形態が“委託販売”を示すものであった場合、取次店端末３０は、書籍流通データベース１０から取得した販売済情報が、“既に販売された”ことを示すものであるか“まだ販売されていない”ことを示すものであるかを判断し、“まだ販売されていない”ことを示すものであった場合は、その書籍を誤った返本であると判断する。
【００３３】
なお、書店コードに基づく判断、取引形態に基づく判断、販売済情報に基づく判断は、どのような順序で行っても良い。最終的に、いずれか１つが条件を満たさない場合に、誤った返本であると判断すれば良いためである。また、簡易的に、これらの３つの項目のうち、いずれか２つ、または、いずれか１つを判断するようにしても良い。書店コードを照合しない場合は、取次店端末３０への書店コードの入力は不要となる。
【００３４】
（４．第３の実施形態）
次に、第３の実施形態について説明する。第３の実施形態では、第１の実施形態における不可視のバーコードに代えて、非接触方式のＩＣタグ（ＲＦＩＤタグとも呼ばれる。）を用いる。まず、印刷・製本会社において、ＩＣタグＴ１を各書籍に付加する。付加の態様としては、様々なものを用いることができるが、本実施形態では、２重構成となっている表紙の内部に封入するようにしている。図６に、第３の実施形態における書籍の外観斜視図を示す。
【００３５】
ＩＣタグＴ１が付加された書籍を受け取った取次店では、各書籍のＩＣタグＴ１に、書店コードと取引形態を付与する。具体的には、取次店の端末に書店コードと取引形態を入力し、ＩＣタグライターを用いて、各ＩＣタグ内のユーザーメモリーに、書店コードと取引形態を順次書き込んでいく。
【００３６】
ＩＣタグＴ１に書店コードと取引形態が記録された書籍は、書店に送られる。書店では、書籍を販売する際、書籍の表紙に付加されたＩＣタグＴ１に、販売済情報を追加する。具体的には、取次店の端末に接続されたＩＣタグライターを用いて、販売済情報をＩＣタグＴ１に記録する。販売済情報の記録は、販売済みであるかないかを示す１ビットの情報で足りるため、様々な態様で記録することができる。例えば、ＩＣタグ内のユーザーメモリーの所定の位置に記録することもできるが、ユーザーメモリーは処理に時間がかかるため、本実施形態では、処理の高速なＩＣタグ内の機能エリアの１つのビットを利用している。したがって、本実施形態では、ＩＣタグＴ１内の機能エリアの所定のビットの値を変更することにより、販売済情報の記録を行なう。
【００３７】
新古書店では、読者から持ち込まれた書籍を買い取る際、その書籍が正当に販売されたものであるかどうかを確認する。具体的には、新古書店の端末に接続されたＩＣタグリーダーで、書籍の表紙に付加されたＩＣタグＴ１から販売済情報を読み取る。上述のように、本実施形態では、ＩＣタグＴ１内の機能エリアの所定ビットの値を読み込むことになる。そして、新古書店の端末が、ＩＣタグリーダーが読み取った販売済情報を画面に表示する。販売済情報の表示は、店員が認識可能な様々な態様で行なうことができる。例えば、受信した販売済情報が既に販売したことを示すものである場合には、“正規販売済み”等の表示を行い、販売済情報がまだ販売されていないことを示すものである場合には、“未販売”等の表示を行なう。これにより、店員は、持ち込まれた書籍が正当に購入されたものであるかどうかを確認することができる。この結果、正当に取得された書籍のみを買い取ることになり、不正な手段により取得された書籍が、誤って新古書店に買い取られ、市場に流通することを防ぐことができる。
【００３８】
次に、書店から取次店への誤った返本の防止について説明する。誤った返本の防止については、コンピュータに、ベルトコンベア、仕分け機構、ＩＣタグリーダー等が接続されたシステムを用いる。このシステムのコンピュータには、後述する処理を実行するための専用のプログラムが組み込まれている。書店から取次店へ返本される場合、書店単位で大量の書籍が持ち込まれるため、取次店では、上記コンピュータに書店コードを入力した後、持ち込まれた書籍を表紙を上側に向けて、ベルトコンベアに流す。システムが起動されると、ベルトコンベアを流れる書籍に付加されたＩＣタグＴ１に記録された情報をＩＣタグリーダーが読み取る。これにより、上記コンピュータは、ＩＣタグＴ１から書店コード、取引形態、販売済情報を取得する。そして、コンピュータは、入力された書店コードと取得した書店コードを照合し、両者が一致しない場合、その書籍を誤った返本であると判断する。入力された書店コードと取得した書店コードが一致した場合、コンピュータは、バーコードＣ３から取得した取引形態が“委託販売”を示すものであるか“責任販売” を示すものであるかを判断し、“責任販売” を示すものであった場合は、その書籍を誤った返本であると判断する。取引形態が“委託販売”を示すものであった場合、コンピュータは、ＩＣタグＴ１から取得した販売済情報が、“既に販売された”ことを示すものであるか“まだ販売されていない”ことを示すものであるかを判断し、“まだ販売されていない” を示すものであった場合は、その書籍を誤った返本であると判断する。
【００３９】
なお、第３の実施形態においても、第２の実施形態と同様、書店コードに基づく判断、取引形態に基づく判断、販売済情報に基づく判断は、どのような順序で行っても良い。最終的に、いずれか１つが条件を満たさない場合に、誤った返本であると判断すれば良いためである。また、簡易的に、これらの3つの項目のうち、いずれか２つ、または、いずれか１つを判断するようにしても良い。書店コードを照合しない場合は、コンピュータに対する書店コードの入力は不要となる。
【００４０】
（５．第４の実施形態）
次に、第４の実施形態について説明する。第４の実施形態においては、図７に示すような書籍属性判別システムを用いる。図７に示す書籍属性判別システムは、図３に示した書籍属性判別システムとほぼ同様の機能を有するが、書籍に付加されているＩＣタグに対応する部分だけ異なったものとなっている。図７において、図３に示した書籍属性判別システムと同一のものについては、同一符号を付して説明を省略する。取次店端末３１には、ＩＣタグに対応したＩＣタグリーダー、ＩＣタグライター、ベルトコンベア、書籍の仕分け機構が接続されている。ＩＣタグリーダー、ＩＣタグライターは、読み書きを行なうＩＣタグリーダー／ライターが一般的であるので、現実には、こちらを用いる。書店端末４１には、ＩＣタグに対応したＩＣタグリーダーが接続されている。新古書店端末５１には、ＩＣタグに対応したＩＣタグリーダーが接続されている。
【００４１】
第４の実施形態では、第２の実施形態における不可視のバーコードに代えて、ＩＣタグを用いる。まず、印刷・製本会社において、ＩＣタグＴ２を各書籍に付加する。付加の態様としては、様々なものを用いることができるが、本実施形態では、第３の実施形態と同様、２重構成となっている表紙の内部に封入するようにしている。
【００４２】
ＩＣタグＴ２が付加された書籍を受け取った取次店では、各書籍のＩＣタグＴ２に、シリアルコードを付与する。具体的には、取次店端末３１にシリアルコードを入力し、ＩＣタグライターを用いて、各ＩＣタグ内のユーザーメモリーに、シリアルコードを順次書き込んでいく。第４の実施形態におけるＩＣタグＴ２は、各個体固有のシリアルコードを記録したものであり、送付先の書店や、取引形態を把握している必要はないため、第３の実施形態におけるＩＣタグＴ１と異なり、必ずしもシリアルコードを記録する必要はなく、それ以前の印刷会社等において記録しても良い。なお、ＩＣタグは、ＩＣタグの製造元で記録されるユニークＩＤを有しており、このユニークＩＤをそのままシリアルコードとして利用するようにしても良い。この場合は、シリアルコードの入力は不要となる。
【００４３】
取次店では、各ＩＣタグＴ２に記録されたシリアルコードに対応付けて、書店コードと取引形態を書籍流通データベースに登録する。具体的には、取次店端末３１に対して、シリアルコードとともに書店コードと取引形態を入力し、データベース登録指示を行うと、取次店端末３１は入力されたシリアルコード、書店コード、取引形態を管理サーバ２０に送信する。管理サーバ２０では、受信したシリアルコード、書店コード、取引形態を対応付けて書籍流通データベース１０に登録する。なお、書店コードと取引形態は、第１〜第３の実施形態に示したものと同じである。書籍流通データベース１０への登録が完了したら、ＩＣタグＴ２が付加された書籍は、書店に送られる。
【００４４】
書店では、書籍を販売する際、書店端末４１から管理サーバ２０にアクセスし、書籍流通データベース１０に販売済情報を追加する。具体的には、書店端末４１に接続されているＩＣタグリーダーで、書籍の表紙に付加されたＩＣタグＴ２から記録されたシリアルコードを読み取り、店員が書店端末４１に対して販売済みの指示を与える。すると、書店端末は、読み取ったシリアルコードと販売済情報とともに、データ登録依頼を管理サーバ２０に送信する。管理サーバ２０は、受信したシリアルコードと販売済情報を対応付けて書籍流通データベース１０に登録する。
【００４５】
新古書店では、読者から持ち込まれた書籍を買い取る際、その書籍が正当に販売されたものであるかどうかを確認する。具体的には、新古書店端末５１に接続されているＩＣタグリーダーで、書籍の表紙に付加されたＩＣタグＴ２からシリアルコードを読み取る。上述のように、本実施形態では、ＩＣタグＴ２内のユーザメモリーから読み込むことになる。そして、店員が新古書店端末５１に対して、販売済情報確認の指示を与える。すると、新古書店端末５１は、読み取ったシリアルコードとともに、販売済情報の送信依頼を管理サーバ２０に送信する。を書籍流通データベースに送信する。管理サーバ２０は、受信したシリアルコードに対応する販売済情報を書籍流通データベース１０から取得し、新古書店端末５１に返信する。
【００４６】
新古書店端末５１では、販売済情報を受信すると、受信した販売済情報を画面に表示する。販売済情報の表示は、店員が認識可能な様々な態様で行なうことができる。例えば、受信した販売済情報が既に販売したことを示すものである場合には、“正規販売済み”等の表示を行い、販売済情報がまだ販売されていないことを示すものである場合には、“未販売”等の表示を行なう。これにより、店員は、持ち込まれた書籍が正当に購入されたものであるかどうかを確認することができる。この結果、正当に取得された書籍のみを買い取ることになり、不正な手段により取得された書籍が、誤って新古書店に買い取られ、市場に流通することを防ぐことができる。
【００４７】
次に、書店から取次店への誤った返本の防止について説明する。書店から取次店へ返本される場合、書店単位で大量の書籍が持ち込まれるため、取次店では、取次店端末３１に書店コードを入力した後、持ち込まれた書籍を表紙を上側に向けて、ベルトコンベアに流す。システムが起動されると、ベルトコンベアを流れる書籍に付加されたＩＣタグＴ２に記録された情報を、取次店端末３１に接続されたＩＣタグリーダーで読み取る。これにより、システムは、ＩＣタグＴ２からシリアルコードを取得する。取次店端末３１は、取得したシリアルコードとともに、対応する情報の送信依頼を管理サーバ２０に送信する。管理サーバ２０は、受信したシリアルコードに対応する書店コード、取引形態、販売済情報を書籍流通データベース１０から取得し、取次店端末３１に返信する。
【００４８】
取次店端末３１は、書籍流通データベース１０から取得した書店コードと、取次店端末３０に直接入力された書店コードとを照合し、両者が一致しない場合、その書籍を誤った返本であると判断する。受信した書店コードと入力された書店コードが一致した場合、取次店端末３１は、書籍流通データベース１０から取得した取引形態が“委託販売”を示すものであるか“責任販売” を示すものであるかを判断し、“責任販売” を示すものであった場合は、その書籍を誤った返本であると判断する。取引形態が“委託販売”を示すものであった場合、取次店端末３１は、書籍流通データベース１０から取得した販売済情報が、“既に販売された”ことを示すものであるか“まだ販売されていない”ことを示すものであるかを判断し、“まだ販売されていない”ことを示すものであった場合は、その書籍を誤った返本であると判断する。
【００４９】
なお、第４の実施形態においても、第２、第３の実施形態と同様、書店コードに基づく判断、取引形態に基づく判断、販売済情報に基づく判断は、どのような順序で行っても良い。最終的に、いずれか１つが条件を満たさない場合に、誤った返本であると判断すれば良いためである。また、簡易的に、これらの3つの項目のうち、いずれか２つ、または、いずれか１つを判断するようにしても良い。書店コードを照合しない場合は、取次店端末３１への書店コードの入力は不要となる。
【００５０】
（６．変形例）
以上、本発明の好適な実施形態について説明したが、本発明は上記実施形態に限定されず、種々の変形が可能である。例えば、上記第１、第２の実施形態で示したバーコードとしては、１次元バーコードの他、ＱＲコード等の２次元バーコードを用いても良い。また、バーコードには、書店コードに代えて、または書店コードに加えて書店が特定できるシンボルを記録するようにしても良い。ここで、シンボルとは、紋章、ロゴマーク等の記号や図柄を意味する。シンボルを記録する場合は、バーコードとして、記録容量が大きい２次元バーコードを用いることが望ましい。
【産業上の利用可能性】
【００５１】
本発明は、書籍の流通過程において、不正に取得された書籍の誤った買取、書店から取次店への誤った返本の防止のために利用することができる。
【符号の説明】
【００５２】
１０・・・書籍流通データベース
２０・・・管理サーバ
３０，３１・・・取次店端末
４０，４１・・・書店端末
５０，５１・・・新古書店端末
Ｃ１〜Ｃ３・・・バーコード
Ｔ１、Ｔ２・・・ＩＣタグ
【図１】
0005504729.tif 000002
【図２】
0005504729.tif 000003
【図３】
0005504729.tif 000004
【図４】
0005504729.tif 000005
【図５】
0005504729.tif 000006
【図６】
0005504729.tif 000007
【図７】
0005504729.tif 000008